(57)【要約】【課題】  簡単な構成で、かつ、確実に支持できるようにした壁面取付け機能を備えた薄型表示装置および薄型表示装置を支持する支持装置を提供することを目的とする。【解決手段】  表示装置本体１０を所望角度に調整および維持するヒンジ機構５と、表示装置本体１０を壁面Ｋに取り付ける際に、表示装置本体１０と、設置部４２または壁面Ｋとの間を連結する上部保持手段６と、設置部４２を壁面Ｋに取外し可能に固着するための固着手段７とを備え、表示装置本体１０を壁面Ｋに取り付ける際には、設置部４２を固着手段７により壁面Ｋに固着し、ヒンジ機構５により表示装置本体１０を所望角度に調整および維持し、かつ、表示装置本体１０の裏面の上部近傍と、設置部４２または壁面Ｋとの間を上部保持手段６により連結するように構成する。【選択図】図５
2008083106.tif 000002
【特許請求の範囲】
【請求項１】
画像情報を表示する表示手段を有する表示装置本体と、脚部およびこの脚部に一体的に形成した設置部を有する支持脚と、を備え、前記表示装置本体を自立する際には、前記表示装置本体を、前記支持脚により自立するようにした壁面取付け機能を備えた薄型表示装置において、
前記表示装置本体に設けられた可動ヒンジを、前記脚部に設けられた固定ヒンジに回動軸により回動可能に形成したヒンジ機構と、前記表示装置本体を壁面に取り付ける際に、前記表示装置本体と、前記設置部または前記壁面との間を連結する上部保持手段と、前記設置部を前記壁面に取外し可能に固着するための固着手段と、を更に備え、前記回動軸は、前記可動ヒンジを、前記固定ヒンジに固定する固定機能を備え、前記表示装置本体を壁面に取り付ける際には、前記設置部を前記固着手段により前記壁面に固着し、前記ヒンジ機構により前記表示装置本体を所望角度に調整するとともに、前記表示装置本体を所望角度に前記回動軸により固定し、かつ、前記表示装置本体の裏面の上部近傍と、前記設置部または前記壁面との間を前記上部保持手段により連結するように構成したことを特徴とする壁面取付け機能を備えた薄型表示装置。
【請求項２】
画像情報を表示する表示手段を有する表示装置本体と、脚部およびこの脚部に一体的に形成した設置部を有する支持脚と、を備え、前記表示装置本体を自立する際には、前記表示装置本体を、前記支持脚により自立するようにした壁面取付け機能を備えた薄型表示装置において、
前記表示装置本体を所望角度に調整および維持するヒンジ機構と、前記表示装置本体を壁面に取り付ける際に、前記表示装置本体と、前記設置部または前記壁面との間を連結する上部保持手段と、前記設置部を前記壁面に取外し可能に固着するための固着手段と、を更に備え、前記表示装置本体を壁面に取り付ける際には、前記設置部を前記固着手段により前記壁面に固着し、前記ヒンジ機構により前記表示装置本体を所望角度に調整および維持し、かつ、前記表示装置本体の裏面の上部近傍と、前記設置部または前記壁面との間を前記上部保持手段により連結するように構成したことを特徴とする壁面取付け機能を備えた薄型表示装置。
【請求項３】
前記上部保持手段は、合成樹脂により形成され、一方の端部は、前記表示装置本体の裏面の上部近傍において軸支され、他方の端部は、Ｃ字状の嵌合部を有し、前記設置部または前記壁面に設けられた円形状の保持部に嵌装可能に構成されていることを特徴とする請求項１または請求項２に記載の壁面取付け機能を備えた薄型表示装置。
【請求項４】
前記上部保持手段は、合成樹脂により形成され、両端部には、Ｃ字状の嵌合部を有し、前記嵌合部は、前記表示装置本体の裏面の上部近傍に設けられた円形状の保持部および前記設置部または前記壁面に設けられた円形状の保持部に、取り外し可能であって嵌装可能に構成されていることを特徴とする請求項１または請求項２に記載の壁面取付け機能を備えた薄型表示装置。
【請求項５】
前記上部保持手段は、紐状またはテープ状であって、その一方の端部は、前記表示装置本体の裏面の上部近傍に設けられた保持部に、他方の端部は、前記設置部または前記壁面に設けられた保持部に掛止可能に構成されていることを特徴とする請求項１または請求項２に記載の壁面取付け機能を備えた薄型表示装置。
【請求項６】
前記上部保持手段は、リングを連続的に連結した鎖状であって、その一方の端部は、前記表示装置本体の裏面の上部近傍に設けられた保持部に、他方の端部は、前記設置部または前記壁面に設けられた保持部に掛止可能に構成されていることを特徴とする請求項１または請求項２に記載の壁面取付け機能を備えた薄型表示装置。
【請求項７】
脚部およびこの脚部に一体的に形成した設置部を有する支持脚と、画像情報を表示する表示手段を有する表示装置本体に設けられた可動ヒンジを、前記脚部に設けられた固定ヒンジに回動軸により回動可能に形成したヒンジ機構と、を備え、前記支持脚により、前記表示装置本体を、自立するとともに、前記表示装置本体を、壁面に取り付ける機能を備えた薄型表示装置を支持する支持装置において、
前記表示装置本体を壁面に取り付ける際に、前記表示装置本体と、前記設置部または前記壁面との間を連結する上部保持手段と、前記設置部を前記壁面に取外し可能に固着するための固着手段と、を更に備え、前記ヒンジ機構は、前記可動ヒンジを、前記固定ヒンジに固定する固定手段を備え、前記表示装置本体を壁面に取り付ける際には、前記設置部を前記固着手段により前記壁面に固着し、前記ヒンジ機構により前記表示装置本体を所望角度に調整するとともに、前記表示装置本体を所望角度に前記固定手段により固定し、かつ、前記表示装置本体の裏面の上部近傍と、前記設置部または前記壁面との間を前記上部保持手段により連結するように構成したことを特徴とする薄型表示装置を支持する支持装置。
【請求項８】
前記上部保持手段は、合成樹脂により形成され、一方の端部は、前記表示装置本体の裏面の上部近傍において軸支され、他方の端部は、Ｃ字状の嵌合部を有し、前記設置部または前記壁面に設けられた円形状の保持部に嵌装可能に構成されていることを特徴とする請求項７に記載の薄型表示装置を支持する支持装置。
【請求項９】
前記上部保持手段は、合成樹脂により形成され、両端部には、Ｃ字状の嵌合部を有し、前記嵌合部は、前記表示装置本体の裏面の上部近傍に設けられた円形状の保持部および前記設置部または前記壁面に設けられた円形状の保持部に、取り外し可能であって嵌装可能に構成されていることを特徴とする請求項７に記載の薄型表示装置を支持する支持装置。
【発明の詳細な説明】
【技術分野】
【０００１】
本発明は、壁面取付け機能を備えた薄型表示装置および薄型表示装置を支持する支持装置に関し、特に、壁面取付け機能を、簡単な構成で、確実に支持できるようにしたものである。
【背景技術】
【０００２】
最近は、液晶ディスプレイを備えた液晶型テレビジョンやプラズマディスプレイを備えたプラズマ型テレビジョンなどの薄型表示装置が開発されている。このような薄型表示装置にあっては、一般的に本体ケースが扁平形状であることから、自立性を有していない。このため、例えば、本体ケースの背面に支持脚を設けるようにしたもの、或いは、装置全体が薄型であることから、壁面に取付けられるようにしたものがある。壁面に取付ける場合、通常、テレビ設置台に載置する場合に比べ、少し高い位置などに取付けられることが考えられる。従って、壁面に取付ける場合には、簡単な構成で、確実に支持できることや、表示画面の向きが、使用者の見易い角度に調整できることが要望される。
【０００３】
従来、例えば、薄型表示装置を自立状態から壁面に取り付け可能にするため、表示装置本体が取り付けれたチルトユニットをスタンドにネジで固定して自立するように構成し、この状態から壁面に取り付ける場合には、チルトユニットとスタンドとのネジによる固定関係を一旦分解する。その後、チルトユニットを９０度回転させた後に、再度、チルトユニットをスタンドにネジにより固定するようにしたものがある(例えば、特許文献１参照）。また、表示装置本体の裏面に壁掛け用のフック部、把持部または取付孔を設け、壁面に設けたフックに吊り下げるようにしたものがある(例えば、特許文献２参照、特許文献３参照および特許文献４参照）。
【特許文献１】特開２００１−２３６０２４号公報
【特許文献２】特開２００５−１７３４２１号公報
【特許文献３】特開平１１−２１９１２７号公報
【特許文献４】再公表特許ＷＯ２００４／０６４０１７号公報
【発明の開示】
【発明が解決しようとする課題】
【０００４】
しかし、前述の特許文献１記載の構成では、チルトユニットとスタンドとのネジによる固定を一旦分解する必要があるので、その作業性が悪い他、スタンドおよびチルトユニットの構成が極めて複雑であり、この種装置の価格が高騰する。更に、表示装置本体の下端部で表示装置本体全体を支持しているため、極めて不安定であるなどといった問題があった。
【０００５】
また、前述の特許文献２乃至特許文献４記載の構成では、何れの構成も、単に壁面に設けたフックなどに吊り下げているのみであり、極めて不安定であり、特に、表示装置本体を下から突き上げるような衝撃に際して、フックから外れ易く、耐震性の点で問題があった。
【０００６】
本発明は、上述した問題を解決するためになされたものであり、簡単な構成で、かつ、確実に支持できるようにした壁面取付け機能を備えた薄型表示装置および薄型表示装置を支持する支持装置を提供することを目的とする。
【課題を解決するための手段】
【０００７】
かかる目的を達成するため、本発明では、画像情報を表示する表示手段を有する表示装置本体と、脚部およびこの脚部に一体的に形成した設置部を有する支持脚と、を備え、表示装置本体を自立する際には、表示装置本体を、支持脚により自立するようにした壁面取付け機能を備えた薄型表示装置において、表示装置本体に設けられた可動ヒンジを、脚部に設けられた固定ヒンジに回動軸により回動可能に形成したヒンジ機構と、表示装置本体を壁面に取り付ける際に、表示装置本体と、設置部または壁面との間を連結する上部保持手段と、設置部を壁面に取外し可能に固着するための固着手段と、を更に備え、回動軸は、可動ヒンジを、固定ヒンジに固定する固定機能を備え、表示装置本体を壁面に取り付ける際には、設置部を固着手段により壁面に固着し、ヒンジ機構により表示装置本体を所望角度に調整するとともに、表示装置本体を所望角度に回動軸により固定し、かつ、表示装置本体の裏面の上部近傍と、設置部または壁面との間を上部保持手段により連結するように構成する。
【０００８】
この構成によれば、表示装置本体を自立状態から壁面に取付ける際には、回動軸の固定機能を緩め、表示装置本体を所望角度に調整し、その後、表示装置本体を所望角度に固定機能により固定した状態で、設置部を壁面に固着手段により取外し可能に固着する。しかる後に、表示装置本体の裏面の上部近傍と、設置部または壁面との間を上部保持手段により連結すればよい。従って、従来のように、支持脚と表示装置本体との固定を一旦分解し、その後、再度組み立てるなどと言った面倒な作業はなくなり、壁面への取り付け作業は、極めて簡単である。また、その構成が極めてシンプルとなり、コストの低減を図ることができる。しかも、表示装置本体の上部近傍と、設置部または壁面との間は、上部保持手段により連結されているので、従来のような不安定性はなくなり、表示装置本体は、確実に支持されている。従って、下からの突き上げるような衝撃に際しても、極めて安定しており、耐震性の向上を図ることができる。
【０００９】
また、本発明においては、画像情報を表示する表示手段を有する表示装置本体と、脚部およびこの脚部に一体的に形成した設置部を有する支持脚と、を備え、表示装置本体を自立する際には、表示装置本体を、支持脚により自立するようにした壁面取付け機能を備えた薄型表示装置において、表示装置本体を所望角度に調整および維持するヒンジ機構と、表示装置本体を壁面に取り付ける際に、表示装置本体と、設置部または壁面との間を連結する上部保持手段と、設置部を壁面に取外し可能に固着するための固着手段と、を更に備え、表示装置本体を壁面に取り付ける際には、設置部を固着手段により壁面に固着し、ヒンジ機構により表示装置本体を所望角度に調整および維持し、かつ、表示装置本体の裏面の上部近傍と、設置部または壁面との間を上部保持手段により連結するように構成する。
【００１０】
この構成によれば、表示装置本体を自立状態から壁面に取付ける際には、ヒンジ機構により、表示装置本体を所望角度に調整し、その後、表示装置本体を所望角度に維持した状態で、設置部を壁面に固着手段により取外し可能に固着する。しかる後に、表示装置本体の裏面の上部近傍と、設置部または壁面との間を上部保持手段により連結すればよい。従って、従来のように、支持脚と表示装置本体との固定を一旦分解し、その後、再度組み立てるなどと言った面倒な作業はなくなり、壁面への取り付け作業は、極めて簡単である。また、その構成が極めてシンプルとなり、コストの低減を図ることができる。しかも、表示装置本体の上部近傍と、設置部または壁面との間は、上部保持手段により連結されているので、従来のような不安定性はなくなり、表示装置本体は、確実に支持されている。従って、下からの突き上げるような衝撃に際しても、極めて安定しており、耐震性の向上を図ることができる。
【００１１】
また、本発明においては、上部保持手段は、合成樹脂により形成され、一方の端部は、表示装置本体の裏面の上部近傍において軸支され、他方の端部は、Ｃ字状の嵌合部を有し、設置部または壁面に設けられた円形状の保持部に嵌装可能に構成する。
【００１２】
この構成によれば、上部保持手段は、合成樹脂により形成され、一方の端部は、表示装置本体の裏面の上部近傍において軸支され、他方の端部は、Ｃ字状の嵌合部を有している。従って、表示装置本体の裏面の上部近傍と、設置部または壁面との間の連結に際し、Ｃ字状の嵌合部を、設置部または壁面の円形状の保持部に嵌装すれば良く、極めて簡単に連結作業をすることができるので、都合がよい。
【００１３】
また、本発明においては、上部保持手段は、合成樹脂により形成され、両端部には、Ｃ字状の嵌合部を有し、嵌合部は、表示装置本体の裏面の上部近傍に設けられた円形状の保持部および設置部または壁面に設けられた円形状の保持部に、取り外し可能であって嵌装可能に構成する。
【００１４】
この構成によれば、上部保持手段は、合成樹脂により形成され、両端部には、Ｃ字状の嵌合部を有している。従って、表示装置本体の裏面の上部近傍と、設置部または壁面との間の連結に際し、Ｃ字状の嵌合部を、表示装置本体の裏面の上部近傍に設けられた円形状の保持部および設置部または壁面に設けられた円形状の保持部に嵌装すれば良く、極めて簡単に連結作業をすることができるので、都合がよい。
【００１５】
また、本発明においては、上部保持手段は、紐状またはテープ状であって、その一方の端部は、表示装置本体の裏面の上部近傍に設けられた保持部に、他方の端部は、設置部または壁面に設けられた保持部に掛止可能に構成する。
【００１６】
この構成によれば、上部保持手段は、紐状またはテープ状であるので、表示装置本体の裏面の上部近傍と、設置部または壁面との間の連結に際し、上部保持手段の一方の端部を、表示装置本体の裏面の上部近傍に設けられた保持部に、他方の端部を、設置部または壁面に設けられた保持部に掛止すれば良く、極めて簡単に連結作業をすることができるので、都合がよい。
【００１７】
また、本発明においては、上部保持手段は、リングを連続的に連結した鎖状であって、その一方の端部は、表示装置本体の裏面の上部近傍に設けられた保持部に、他方の端部は、設置部または壁面に設けられた保持部に掛止可能に構成する。
【００１８】
この構成によれば、上部保持手段は、リングを連続的に連結した鎖状であるので、表示装置本体の裏面の上部近傍と、設置部または壁面との間の連結に際し、上部保持手段の一方の端部は、表示装置本体の裏面の上部近傍に設けられた保持部に、他方の端部は、設置部または壁面に設けられた保持部に掛止すれば良く、極めて簡単に連結作業をすることができるので、都合がよい。
【００１９】
また、本発明においては、脚部およびこの脚部に一体的に形成した設置部を有する支持脚と、可動ヒンジを、脚部に設けられた固定ヒンジに回動軸により回動可能に形成したヒンジ機構と、を備え、支持脚により、画像情報を表示する表示手段を有する表示装置本体を、自立するとともに、表示装置本体を、壁面に取り付ける機能を備えた薄型表示装置を支持する支持装置において、表示装置本体を壁面に取り付ける際に、表示装置本体と、設置部または壁面との間を連結する上部保持手段と、設置部を壁面に取外し可能に固着するための固着手段と、を更に備え、可動ヒンジは、表示装置本体に設け、ヒンジ機構は、可動ヒンジを、固定ヒンジに固定する固定手段を備え、表示装置本体を壁面に取り付ける際には、設置部を固着手段により壁面に固着し、ヒンジ機構により表示装置本体を所望角度に調整するとともに、表示装置本体を所望角度に固定手段により固定し、かつ、表示装置本体の裏面の上部近傍と、設置部または壁面との間を上部保持手段により連結するように構成する。
【００２０】
この構成によれば、表示装置本体を自立状態から壁面に取付ける際には、ヒンジ機構の固定手段を緩め、表示装置本体を所望角度に調整し、その後、表示装置本体を所望角度に固定手段により固定した状態で、設置部を壁面に固着手段により取外し可能に固着する。しかる後に、表示装置本体の裏面の上部近傍と、設置部または壁面との間を上部保持手段により連結すればよい。従って、従来のように、支持脚と表示装置本体との固定を一旦分解し、その後、再度組み立てるなどと言った面倒な作業はなくなり、壁面への取り付け作業は、極めて簡単である。また、その構成が極めてシンプルとなり、コストの低減を図ることができる。しかも、表示装置本体の上部近傍と、設置部または壁面との間は、上部保持手段により連結されているので、従来のような不安定性はなくなり、表示装置本体は、確実に支持されている。従って、下からの突き上げるような衝撃に際しても、極めて安定しており、耐震性の向上を図ることができる。
【００２１】
また、本発明においては、上部保持手段は、合成樹脂により形成され、一方の端部は、表示装置本体の裏面の上部近傍において軸支され、他方の端部は、Ｃ字状の嵌合部を有し、設置部または壁面に設けられた円形状の保持部に嵌装可能に構成する。
【００２２】
この構成によれば、上部保持手段は、合成樹脂により形成され、一方の端部は、表示装置本体の裏面の上部近傍において軸支され、他方の端部は、Ｃ字状の嵌合部を有している。従って、表示装置本体の裏面の上部近傍と、設置部または壁面との間の連結に際し、Ｃ字状の嵌合部を、設置部または壁面の円形状の保持部に嵌装すれば良く、極めて簡単に連結作業をすることができるので、都合がよい。
【００２３】
また、本発明においては、上部保持手段は、合成樹脂により形成され、両端部には、Ｃ字状の嵌合部を有し、嵌合部は、表示装置本体の裏面の上部近傍に設けられた円形状の保持部および設置部または壁面に設けられた円形状の保持部に、取り外し可能であって嵌装可能に構成する。
【００２４】
この構成によれば、上部保持手段は、合成樹脂により形成され、両端部には、Ｃ字状の嵌合部を有している。従って、表示装置本体の裏面の上部近傍と、設置部または壁面との間の連結に際し、Ｃ字状の嵌合部を、表示装置本体の裏面の上部近傍に設けられた円形状の保持部および設置部または壁面に設けられた円形状の保持部に嵌装すれば良く、極めて簡単に連結作業をすることができるので、都合がよい。
【発明の効果】
【００２５】
本発明によれば、簡単な構成で、かつ、確実に支持できるようにした壁面取付け機能を備えた薄型表示装置および薄型表示装置を支持する支持装置を得ることができる。
【発明を実施するための最良の形態】
【００２６】
（第１実施形態）
以下、本発明の第１実施形態を図１乃至図６に基づいて説明する。図１は、本発明の第１実施形態に係る壁面取付け機能を備えた薄型表示装置である液晶テレビジョンを自立型で使用した状態を示す概略正面図、図２は、図１に示す液晶テレビジョンの側面図、図３は、図１に示す液晶テレビジョンの背面図、図４は、支持脚の一例を示す概略構成図である。図５は、図１に示す液晶テレビジョンを壁面に取り付けた状態を示す概略側面図である。図６は、上部保持手段の一例を示す概略構成図である。
【００２７】
図１乃至図３に示すように、壁面取付け機能を備えた薄型表示装置である液晶テレビジョン１は、例えば、フロントケース２１と、リアケース２２とにより分割可能な扁平状の箱型のケース２を構成している。フロントケース２１に設けられた開口２３には、ケース２の内部に収納された表示手段である、例えば、液晶モジュール３の表示面３１が臨んでいる。また、ケース２内には、周知のように、図示しない制御手段やチューナーなどの各種付属品などが収納され、これらにより表示装置本体１０が構成されている。リアケース２２には、自立型可能なように支持脚４が設けられている。この支持脚４は、図１乃至図４に示すように、脚部４１と、この脚部４１に一体的に形成された設置部４２を備えている。
【００２８】
かかる構成により、液晶テレビジョン１を、図示しない載置台に載置することにより、表示装置本体１０を、自立させた状態、即ち、液晶テレビジョン１を、自立型として使用することができる。従って、この状態で、使用者は、液晶モジュール３の表示面３１に表示される画像を観ることができる。
【００２９】
而して、本発明に従い、支持装置１１は、図１乃至図６に示すように、薄型表示装置１の表示装置本体１０を、自立するとともに表示装置本体１０を、壁面Ｋに取り付ける機能を備えたている。この支持装置１１は、上述の支持脚４と、ヒンジ機構５と、上部保持手段６と、設置部４２を壁面Ｋに取外し可能に固着するための固着手段７とを備えている。
【００３０】
また、ヒンジ機構５は、表示装置本体１０を所望角度に調整および維持する機能を備えている。このヒンジ機構５は、例えば、リアケース２２に設けられた可動ヒンジ５１と、脚部４１に軸孔５２ａを形成して設けられた固定ヒンジ５２と、可動ヒンジ５１を固定ヒンジ５２に回動可能に軸支する回動軸５３とから構成されている。そして枢軸として機能する回動軸５３は、可動ヒンジ５１を、固定ヒンジ５２に固定する固定機能を更に備えている。即ち、図２、図３および図５に示すように、表示装置本体１０を所望の角度になるように調整した状態で、回動軸５３により、可動ヒンジ５１を固定ヒンジ５２に固定できるように、回動軸５３は、例えば、少なくとも一方の端部にネジ部（不図示）を有するボルト状のものが用いられ、当該ネジ部に蝶ナット５４を螺合するように構成されている。この構成により、回動軸５３は、固定機能を奏し、可動ヒンジ５１を、固定ヒンジ５２に固定し、表示装置本体１０を所望の角度に維持することができる。なお、必要に応じて回動軸５３の両端部にネジ部を形成し、他方の端部側は、ナット状のものとしても良いのは勿論である。このように、蝶ナット５４を用いると可動ヒンジ５１を、固定ヒンジ５２に固定する際、特別にドライバーなどの工具を用いることなく、簡単な操作により、表示装置本体１０を所望の角度に調整し、維持することができ、都合がよい。
【００３１】
また、上部保持手段６は、図５および図６に示すように、例えば、合成樹脂により形成され、一方の端部６１は、表示装置本体１０の裏面であるリアケース２２の上部近傍において回動可能に軸６１ｃにより軸支されている。また、他方の端部６２は、図６に示すように、例えば、Ｃ字状の嵌合部６２ａを有し、図５および図６に示す例では、設置部４２に設けられた断面が円形状の保持部４２ａに嵌装可能に構成されている。この構成により、上部保持手段６は、表示装置本体１０と、設置部４２または後述するように壁面Ｋとの間を連結する。
【００３２】
また、固着手段７は、設置部４２を壁面Ｋに取外し可能に固着するためのものであれば良く、例えば、設置部４２に設けられた取付孔４２ｂに、ネジやボルトなどからなる締結具を挿通し、壁面に固着するようにすればよい。また、表示装置本体１０を自立型として使用する場合にも、この固着手段７により設置部４２を、載置台に固着するようにしても良いのは勿論である。このようにすると、より耐震性が向上するので、好ましい。
【００３３】
以上の構成によれば、例えば、表示装置本体１０が自立状態から壁面Ｋに取付ける際には、固定機能、即ち回動軸５３の蝶ナット５４を緩め、表示装置本体１０を所望角度に調整、例えば、表示装置本体１０を脚部４１に対して９０度回転する。その後、表示装置本体１０を所望角度において、蝶ナット５４により固定する。そして、設置部４２を壁面Ｋにネジなどの固着手段７により取外し可能に固着する。しかる後に、表示装置本体１０のリアケース２２に軸６１ｃにより軸支された上部保持手段６の嵌合部６２ａを、設置部４２に設けられた断面が円形状の保持部４２ａに嵌装する。これにより、表示装置本体１０の裏面の上部近傍と、設置部４２との間は、上部保持手段６により確実に連結される。また、壁面Ｋに取付けた状態から自立状態に戻す場合は、上述の操作と逆の手順で平面からの取外し作業を行えばよい。
【００３４】
以上の構成による本実施形態では、従来のように、支持脚４と表示装置本体１０との固定を一旦分解し、その後、再度組み立てるなどと言った面倒な作業はなくなり、壁面Ｋへの取り付け作業は、極めて簡単である。また、その構成が極めてシンプルとなり、コストの低減を図ることができる。しかも、表示装置本体１０の上部近傍と、設置部４２との間は、上部保持手段６により連結されているので、従来のような不安定性はなくなり、表示装置本体１０は、確実に支持されている。従って、下からの突き上げるような衝撃に際しても、極めて安定しており、耐震性の向上を図ることができる。
【００３５】
また、上部保持手段６は、合成樹脂により形成され、一方の端部６１は、表示装置本体１０の裏面の上部近傍において軸支され、他方の端部６２は、Ｃ字状の嵌合部６２ａを有している。従って、表示装置本体１０の裏面の上部近傍と、設置部４２との間の連結に際し、Ｃ字状の嵌合部６２ａを、設置部４２の円形状の保持部４２ａに嵌装すれば良く、極めて簡単に連結作業をすることができる。また、上部保持手段６は、自立状態のように、不使用時においても、表示装置本体１０の裏面に軸支されているので、紛失などの危惧がなく、都合がよい。
【００３６】
（第２実施形態）
次に、本発明の第２実施形態について図７乃至図９を参照しながら説明する。図７は、本発明の第２実施形態に係る上部保持手段６の一例を示す概略図、図８は、リアケースに形成した保持部を示す概略側面図である。図９は、補助具で、壁面側に設けられる保持部の一例を示す正面図である。なお、図７乃至図９において、上述した図１乃至図６と同じ符号を付した部分は、略同一のものを示すため、ここでは詳細な説明は省略する。以下、上述した実施形態との相違点を中心に説明する。
【００３７】
本実施形態では、図７乃至図９に示す様に、上部保持手段６は、上述の実施形態と同様、合成樹脂により形成され、両端部６１、６２には、Ｃ字状の嵌合部６１ａ、６２ａが形成されている。嵌合部６１ａ、６２ａは、表示装置本体１０の裏面、即ち、リアケース２２の上部近傍に設けられた、例えば、図８に示すような断面が円形状の保持部２２ａおよび図７に示すような、壁面Ｋに設けられた断面が円形状の保持部８１に、取り外し可能であって嵌装可能に構成されている。この保持部８１は、例えば、図９に示すように、保持部８１を形成した補助具８を用い、この補助具８をネジなどの締結具を取付孔８２に挿通し、壁面Ｋに取付けるようにすればよい。また、補助具８に代えて、上述した実施形態と同様、設置部４２に形成した断面が円形状の保持部４２ａ（図４参照）に嵌装するようにしても良い。
【００３８】
以上の構成による本実施形態よれば、上述した実施形態と同様の作用効果を奏する他、上部保持手段６は、合成樹脂により形成され、両端部６１、６２には、Ｃ字状の嵌合部６１ａ、６２ａを有している。従って、表示装置本体１０の裏面の上部近傍と、設置部４２または壁面Ｋとの間の連結に際し、Ｃ字状の嵌合部６１ａ、６２ａを、表示装置本体１０の裏面の上部近傍に設けられた円形状の保持部２２ａおよび設置部４２に設けられた円形状の保持部４２ａまたは壁面Ｋに設けられた円形状の保持部８１に嵌装すれば良く、極めて簡単に連結作業をすることができる。また、両端部６１、６２の嵌合部６１ａ、６２ａの形状を略同一に形成すれば、連結に際して、特に嵌合部６１ａ、６２ａの大きさなどを考慮することなく連結作業を行うことができ、都合がよい。更に、連結に際して、上部保持手段６の両端部６１、６２のＣ字状の嵌合部６１ａ、６２ａが、図７に示すように、下方から保持部２２ａおよび保持部８１ａに嵌装するようにすると、より外れにくく、確実に連結できるので、好ましい。
（第３実施形態）
次に、本発明の第３実施形態について図１０を参照しながら説明する。図１０は、本発明の第３実施形態に係る上部保持手段６の一例を示す概略側面図である。なお、図１０において、上述した図１乃至図９と同じ符号を付した部分は、略同一のものを示すため、ここでは詳細な説明は省略する。以下、上述した実施形態との相違点を中心に説明する。  
【００３９】
本実施形態では、図１０に示す様に、上部保持手段６は、リングを連続的に連結した鎖状のものを用いている。そして、その一方の端部６１は、表示装置本体１０の裏面の上部近傍に設けられたフック状の保持部２２ｂに、他方の端部６２は、壁面Ｋに設けられたフック状の保持部８３に掛止されている。
【００４０】
以上の構成による本実施形態よれば、上述した実施形態と同様の作用効果を奏する他、上部保持手段６は、リングを連続的に連結した鎖状であるので、表示装置本体１０の裏面の上部近傍と、設置部４２または壁面Ｋとの間の連結に際し、上部保持手段６の一方の端部６１は、表示装置本体１０の裏面の上部近傍に設けられた保持部２２ｂに、他方の端部６２は、設置部または壁面Ｋに設けられた保持部８３に掛止すれば良く、極めて簡単に連結作業をすることができるので、都合がよい。また、上部保持手段６の長さを、表示装置本体１０を壁面Ｋに対して平行に配置する場合より若干長くしておくと、表示装置本体１０の角度を前傾姿勢に調整しても、上部保持手段６を別途換えることなく、任意の角度に調整することができるので、好ましい。
【００４１】
なお、上部保持手段６は、上述した鎖状のものに代えて、図示しないが、紐状またはテープ状のものを用いても良い。この場合、紐状またはテープ状の上部保持手段６の一方の端部は、表示装置本体１０の裏面の上部近傍に設けられた保持部に、他方の端部は、設置部または壁面に設けられた保持部に掛止可能に構成すれば良い。このように、上部保持手段６として、紐状またはテープ状のものを用いると、極めて簡単に連結作業をすることができるので、都合がよい。また、長さに余裕のある紐状またはテープ状のものを用いると、表示装置本体１０を壁面に取付けた際、表示装置本体１０の角度を前傾姿勢に調整しても、上部保持手段６を別途換えることなく、任意の角度に調整することができるので、好ましい。
【００４２】
（第４実施形態）
次に、本発明の第４実施形態について図１１乃至図１３を参照しながら説明する。図１１は、本発明の第４実施形態に係るヒンジ機構５の一例を示す概略側面図、図１２は、可動ヒンジの一例を示す概略側面図、図１３は、固定ヒンジの一例を示す概略側面図である。なお、図１１乃至図１３において、上述した図１乃至図１０と同じ符号を付した部分は、略同一のものを示すため、ここでは詳細な説明は省略する。以下、上述した実施形態との相違点を中心に説明する。
【００４３】
本実施形態では、図１１および図１２に示すように、ヒンジ機構５の可動ヒンジ５１には、回動軸５３を挿通する軸孔５１ａと、表示装置本体１０を所定の角度に設定するために、軸孔５１ａを中心として一定間隔で扇状に配設された複数個の係止孔５１ｃが形成されている。また、図１３に示すように、支持脚４の脚部４１に形成された固定ヒンジ５２は、回動軸５３を挿通する軸孔５２ａと、上述の可動ヒンジ５１と摺動する摺動面には、係止孔５１ｃに係合する小突起５２ｃとが形成されている。これら、係止孔５１ｃおよび小突起５２ｃは、可動ヒンジ５１および固定ヒンジ５２の摺動面の、少なくとも一方に形成すればよい。
【００４４】
以上の構成によれば、例えば、図１１に実線で示すように、垂直状態の脚部４１を、表示装置本体１０を壁面Ｋに取り付けるために、脚部４１を同図に二点差線で示すように、壁面Ｋに直交するように、９０度移動する際、先ず、回動軸５３のネジ部に螺合している蝶ナット５４を緩める。次いで、固定ヒンジ５２が形成された脚部４１が所望の角度となるように回動して、小突起５２ｃを係止孔５１ｃに係合させる。その後、蝶ナット５４を締め付け固定すればよい。なお、同図では、理解を容易にするため、脚部４１が垂直状態にある場合の小突起５２ｃは、黒く塗りつぶして表示してある。
【００４５】
以上の構成による本実施形態よれば、上述した実施形態と同様の作用効果を奏する他、表示装置本体１１の角度調整時に、小突起５２ｃを係止孔５１ｃに係合すれば、所望の角度に調整でき、操作性が向上するとともに、所定角度で安定した状態を維持することができ、都合がよい。
【００４６】
なお、上述した各実施形態は、本発明の好適な実施例であるが、本発明はこれに限定されるものではなく、本発明の要旨を逸脱しない範囲において、種々変形実施可能である。
【００４７】
また、上述の実施形態では、表示手段３として液晶モジュールを用いた液晶テレビジョンンについて詳述したが、例えば、プラズマディスプレイを用いたプラズマテレビジョンからなる壁面取付け機能を備えた薄型表示装置に本発明を適用しても良いのは、勿論である。
【００４８】
更に、上述の実施形態では、薄型表示装置として、テレビジョンンについて詳述したが、薄型のディスプレイ装置に適用してもよいのは、勿論である。また、本発明は、表示画面が３０型（３０インチ）以下の小型の薄型表示装置に適用すれば極めて有効である。
【図面の簡単な説明】
【００４９】
【図１】本発明の第１実施形態に係る壁面取付け機能を備えた薄型表示装置である液晶テレビジョンを自立型で使用した状態を示す概略正面図である。
【図２】図１に示す液晶テレビジョンの側面図である。
【図３】図１に示す液晶テレビジョンの背面図である。
【図４】支持脚の一例を示す概略構成図である。
【図５】図１に示す液晶テレビジョンを壁面に取り付けた状態を示す概略側面図である。
【図６】上部保持手段の一例を示す概略構成図である。
【図７】本発明の第２実施形態に係る上部保持手段６の一例を示す概略図である。
【図８】リアケースに形成した保持部を示す概略側面図である。
【図９】補助具で、壁面側に設けられる保持部の一例を示す正面図である。
【図１０】本発明の第３実施形態に係る上部保持手段６の他の例を示す概略側面図である。
【図１１】本発明の第４実施形態に係るヒンジ機構５の一例を示す概略側面図である。
【図１２】可動ヒンジの一例を示す概略側面図である。
【図１３】固定ヒンジの一例を示す概略側面図である。
【符号の説明】
【００５０】
Ｋ      壁面
１      薄型表示装置（液晶テレビジョン）
１０    表示装置本体
１１    支持装置
２２ａ  保持部
２２ｂ  保持部
３      表示手段（液晶モジュール）
４      支持脚
４１    脚部
４２    設置部
４２ａ  保持部
５      ヒンジ機構
５１    可動ヒンジ
５２    固定ヒンジ
５３    回動軸
６      上部保持手段
６１    端部
６２    端部
６１ａ  嵌合部
６２ａ  嵌合部
７      固着手段
８１    保持部
８３    保持部
【図１】
2008083106.tif 000003
【図２】
2008083106.tif 000004
【図３】
2008083106.tif 000005
【図４】
2008083106.tif 000006
【図５】
2008083106.tif 000007
【図６】
2008083106.tif 000008
【図７】
2008083106.tif 000009
【図８】
2008083106.tif 000010
【図９】
2008083106.tif 000011
【図１０】
2008083106.tif 000012
【図１１】
2008083106.tif 000013
【図１２】
2008083106.tif 000014
【図１３】
2008083106.tif 000015